(57)【要約】【課題】浴槽の水位制御は人が入浴中にはすぐに補正されないため、実使用上不満が残ることがあり、その不満を解消すること。【解決手段】給湯機５より浴槽１に給湯される水量を検出する水量センサ１４と、浴槽の水位を設定する水位設定手段１７ａ、１７ｂと、浴槽に給湯された湯の水位を検出する水位検出手段４と、浴槽の水位変動により入浴の有無を検出する入浴検出手段６と、水位検出手段４からの信号に基く水位変化率を読み取り、水位設定手段１７ａ、１７ｂによる設定水位になるまで給湯機の制御を行う制御手段８を備え、制御手段８は入浴時の水位変動を監視し、水位検出手段４からの信号との比較により、前記設定水位と入浴前の水位とに差がある場合、前記差分を直ちに補正するべく給湯制御を行う。【選択図】図１
2007192421.tif 000002
【特許請求の範囲】
【請求項１】
給湯機より浴槽に給湯される水量を検出する水量センサと、浴槽の水位を設定する水位設定手段と、浴槽に給湯された湯の水位を検出する水位検出手段と、浴槽の水位変動により入浴の有無を検出する入浴検出手段と、前記水位検出手段からの信号に基く水位変化率を読み取り、前記水位設定手段による設定水位になるまで給湯機の制御を行う制御手段を備え、前記制御手段は入浴時の水位変動を監視し、前記水位検出手段からの信号との比較により、前記設定水位と入浴前の水位とに差がある場合、前記差分を直ちに補正する風呂給湯機の制御装置。
【請求項２】
制御手段は、入浴検出手段が浴槽の水位変動を検出したときの水位の判断を、一定時間経過後に水位変動の平均値で判断する請求項１記載の風呂給湯機の制御装置。
【請求項３】
制御手段は、入浴検出手段が浴槽の水位変動を検出した場合、一定時間内は水位検出手段によって、水位設定手段で選択できる最小単位の水位の変動幅での制御を行う請求項１または請求項２記載の風呂給湯機の制御装置。
【請求項４】
制御手段は、入浴検出手段が浴槽の水位変動を検出した場合、一定時間内は水位検出手段によって、水位設定手段で選択できる最小単位の水位の変動幅の半分の水位変動幅で制御を行う請求項１〜３のいずれか１項記載の風呂給湯機の制御装置。
【請求項５】
制御手段は、入浴検出手段が入浴していないと判断し、人による水位変動がない場合、水位検出手段によって水位設定手段で選択できる水位の２段階の水位変動幅での制御を行う請求項１〜４のいずれか１項記載の風呂給湯機の制御装置。
【請求項６】
制御手段は、入浴検出して一定時間経過後に浴槽の水位の変化が認められないと判断した場合は給湯を停止させる請求項１〜５のいずれか１項記載の風呂給湯機の制御装置。
【発明の詳細な説明】
【技術分野】
【０００１】
本発明は、浴槽の自動お湯はり（自動給湯）を行う機能を備えた風呂給湯機の水位制御に関するものである。
【背景技術】
【０００２】
従来、この種の風呂給湯機は図５に示すように風呂湯温設定手段１６ａ、１６ｂおよび水位設定手段1７ａ、１７ｂを含む設定手段および表示部を有する浴室リモコン１３と、追い炊き循環回路３を介して浴槽１の水位を検出する水位検出手段４と、前記水位検出手段４からの信号に基き、前記水位の増減を判定し、水位設定手段１７ａ、１７ｂで設定する水位になるまで追い炊き循環回路３を介して給湯熱交換器２ｂより浴槽１に自動的に給湯するように給湯機５の動作を制御する制御手段８とで構成されている。
【０００３】
また制御手段８は、追い炊き熱交換器２ａにより追い炊き循環回路３を介して循環する浴槽１の湯を、風呂湯温設定手段１６ａ、１６ｂで設定する湯温になるまで加熱するように制御する。１０は給湯機５の台所リモコンで、浴室リモコン１３と同じように運転スイッチ１１と風呂自動スイッチ１２を有する。水量センサ７は、浴槽１に給湯された湯量を検出し、その信号を制御手段８に出力する。
【０００４】
従来から、浴槽に自動的にお湯はりをする機能を有する給湯機５として図６に示すように浴室リモコン１３の運転スイッチ１１を操作して「入」（以下ＯＮという）にする。次に風呂自動スイッチ１２を操作して給湯機５をＯＮにすると水位検出手段４で給湯熱交換器２ｂから分岐して浴槽１に連結された追い炊き循環回路３から浴槽１に湯が供給される。
【０００５】
そして、この供給した湯の浴槽１の水位を水位検出手段４で検出して浴室リモコン１３に設けられた水位設定手段１７ａ、１７ｂで設定した湯量が供給されると自動的にお湯はりを停止すると共に、風呂湯温、浴槽の水位を、ある設定した時間内は自動的に補正するよう制御する（例えば、特許文献１参照）。
【特許文献１】特開平１−２７７１３９号公報
【発明の開示】
【発明が解決しようとする課題】
【０００６】
しかしながら、設定水位に対しての判定は水位検出手段４からの信号を受け、設定水位に達した時点で給湯機５からの給湯を停止させるため、設定水位に達する前に入浴した場合や、入浴時に浴槽１の湯を使用して水位が減少した場合でも、人が浴槽１に入ると設定水位に達するため、また、入浴により浴水に波動が生じ水位が安定するまで待って水位を判断するため、実際は水位が設定水位より低いにも拘らず風呂自動運転にしていても、必用なときに湯が供給されないことがあるという不便さを有していた。
【０００７】
上記従来の技術の課題に鑑み、本発明が解決しようとする課題は、実際に入浴中での水位の制御を精度よく行うことにある。
【課題を解決するための手段】
【０００８】
上記課題を解決するため本発明は、給湯機より浴槽に給湯される水量を検出する水量センサと、浴槽の水位を設定する水位設定手段と、浴槽に給湯された湯の水位を検出する水位検出手段と、浴槽の水位変動により入浴の有無を検出する入浴検出手段と、前記水位検出手段からの信号に基く水位変化率を読み取り、前記水位設定手段による設定水位になる
まで給湯機の制御を行う制御手段を備え、前記制御手段は入浴時の水位変動を監視し、前記水位検出手段からの信号との比較により、前記設定水位と入浴前の水位とに差がある場合、前記差分を直ちに補正する風呂給湯機の制御装置である。
【０００９】
これにより、制御手段は入浴検出手段が入浴を検出したとき、入浴前の水位と設定水位に対し少ない場合は入浴前の水位と設定水位の差分を優先的に供給することにより、より使い勝手のよい水位制御を実現させるものである。
【発明の効果】
【００１０】
本発明の風呂給湯機の制御装置は、水位制御の変化に対する対応を早めることにより、より実用に即した水位制御を行うことができる。
【発明を実施するための最良の形態】
【００１１】
第１の発明は、給湯機より浴槽に給湯される水量を検出する水量センサと、浴槽の水位を設定する水位設定手段と、浴槽に給湯された湯の水位を検出する水位検出手段と、浴槽の水位変動により入浴の有無を検出する入浴検出手段と、前記水位検出手段からの信号に基く水位変化率を読み取り、前記水位設定手段による設定水位になるまで給湯機の制御を行う制御手段を備え、制御手段は入浴時の水位変動を監視し、前記水位検出手段からの信号との比較により、前記設定水位と入浴前の水位とに差がある場合、前記差分を直ちに補正する風呂給湯機の制御装置である
これにより、制御手段は水位検出手段による水位変化率を読み取り、かつ入浴検出手段による入浴を検出することにより、優先的に設定水位と入浴前の水位との差がある場合はその差分を直ちに供給するように給湯機を制御するので、必要な湯量で快適に入浴することができ、水位制御の変化に対する対応を早めてやることにより、より実用に即した水位制御が実現可能になる。
【００１２】
第２の発明は、第１の発明の制御手段にあって、入浴検出手段が浴槽の水位変動を検出したときの水位の判断を、一定時間経過後に水位変動の平均値で判断するので、制御手段は人が入浴したと判断したときの水位判定をより早くするため、快適に入浴することができる。
【００１３】
一般に人が浴槽に入った時、そして浴槽から出た時、浴槽の水面は暫く波打って水位が変動し続けるため、初期は変動が大きいため水位を判断することは困難である。
【００１４】
然るに本実施の形態では、一定の水位の変動幅内になったときに平均値で判断することにより正確に、より早く水位変化に対応することが可能になる。
【００１５】
第３の発明は、第１または第２の発明の制御手段にあって、入浴検出手段が浴槽の水位変動を検出した場合、一定時間内は水位検出手段によって、水位設定手段で選択できる最小単位の水位の変動幅での制御を行うので、制御手段は例えば一定時間内は設定水位が１段階低下すると直ちに水位補正を行うことにより、快適に入浴することができる。
【００１６】
第４の発明は、第１〜第３のいずれか１の発明の制御手段にあって、入浴検出手段が浴槽の水位変動を検出した場合、一定時間内は水位検出手段によって、水位設定手段で選択できる最小単位の水位の変動幅の半分の水位変動幅で制御を行うので、制御手段は人が入浴したと判断したときは、一定時間内は設定水位に対して１段階の半分低下すると直ちに水位補正を行うので、快適に入浴することができる。
【００１７】
第５の発明は、第１〜第４のいずれか１の発明の制御手段にあって、入浴検出手段が入浴していないと判断し、人による水位変動がない場合、水位検出手段によって水位設定手
段で選択できる水位の２段階の水位変動幅での制御を行うので、制御手段は入浴中でない場合に水位設定手段で選択できる最小単位の２段階の変動がないと（水位変化が２ステップ変化しないと）水位の補正を行わないことになり、無駄なエネルギーを使用しないようにでき、エネルギーの節約を行うことができる。
【００１８】
第６の発明は、第１〜第５のいずれか１の発明の制御手段にあって、入浴を検出して一定時間経過後に浴槽の水位変化が認められないと判断した場合は給湯を停止させるもので、制御手段は入浴中と判断した場合で一定時間経過後、水位の上昇がない場合は浴槽より湯が溢れと判断し、水位の補正を行わないことにより、エネルギーの節約を行うものである。
【００１９】
以下、本発明の実施の形態について、図面を参照しながら説明する。なお、本実施の形態によって本発明が限定されるものではない。また、本実施の形態の説明において、同一構成で同一作用効果を奏するところには同一符号を付して重複した説明を行わないものとする。
【００２０】
（実施の形態１）
図１は、本発明の実施の形態１における風呂給湯機の制御装置の構成図で、図２は同じく風呂給湯機の浴室リモコンの平面図で、図３は同風呂給湯機の制御装置による水位制図である。図１、図２において１は逆台形状の浴槽で、２ａは追い炊き熱交換器で、追い炊き循環回路３を介して浴槽１に接続され、循環ポンプ３ａにより追い炊き循環回路３を循環する浴槽水を加熱する。
【００２１】
給湯熱交換器２ｂは、分岐回路を追い炊き循環回路３の往き回路に接続して浴槽１に給湯するものである。水位検出手段４は、追い炊き循環回路３を介して浴槽１に給湯された湯の水位を検出する。給湯機５は、バーナ（図示せず）により加熱される追い炊き熱交換器２ａ、給湯熱交換器２ｂ等を主体として構成される。入浴検出手段６は、水位検出手段４の検出した水位信号を取り込んで浴槽１の水位変動による入浴の有無を検出する。水量センサ７は、給湯熱交換器２ｂの分岐回路に接続され、浴槽１に給湯された湯量を検出する。
【００２２】
制御手段８は、マイクロコンピュータ及びその周辺回路から構成され、水位検出手段４からの信号に基く水位変化率、すなわち、一定時間内に一定値以上の増減を学習してデータを記憶し、このデータにより浴室リモコン１３の１０段階の設定機能を有する水位設定手段１６ａ、１６ｂによる設定水位になるまで給湯機５の自動給湯及び停止の制御を実行するプログラムを有する。また制御手段８は、追い炊き熱交換器２ａにより追い炊き循環回路３を介して循環する浴槽１の湯を、浴室リモコン１３の風呂湯温設定手段１６ａ、１６ｂで設定する湯温になるまで給湯機５に加熱するよう制御を実行するプログラムを有する。
【００２３】
さらに制御手段８は、入浴時の水位変動を監視し、前記水位検出手段からの信号との比較により、つまり水位検出手段４からの信号と入浴検出手段６からの入浴検出の信号に基き、水位設定手段１６ａ、１６ｂによる浴槽１の設定水位と入浴前の浴槽１の水位とに差がある場合、前記差分を直ちに補正するために給湯機５を制御して供給することを実行するプログラムも有する。
【００２４】
台所に設置された台所リモコン１０と浴室に設置された浴室リモコン１３は、制御手段８と有線または無線で通信を行い、上記したように給湯機５を制御する。なお、台所リモコン１０では、浴室リモコン１３と同じように給湯機５の運転スイッチ１１と自動給湯を行う風呂自動スイッチ１２を有する。
【００２５】
上記実施の形態において、給湯機５の制御手段８により浴槽１に自動給湯する動作を説明する。台所リモコン１０または浴室リモコン１３の運転スイッチ１１を「入」にするとともに、浴室リモコン１３の水位設定手段１６ａ、１６ｂにより水位設定、そして風呂湯温設定手段１６ａ、１６ｂで湯温を設定する。次に自動スイッチ１２を「入」にすると動作を開始し、バーナの点火により燃焼して加熱された給湯熱交換器２ｂより給湯が浴槽１に行なわれる。
【００２６】
そして、給湯された浴槽１の水位を検出した水位検出手段４からの信号を制御手段８が受け、浴室リモコン１３の水位設定手段１７ａ、１７ｂで設定された設定水位になるまで水位検出手段４からの信号と前記設定水位を比較して浴槽１へお湯を供給し、台所リモコン１０、浴室リモコン１３の風呂湯温設定手段１６ａ、１６ｂで設定された設定温度になるまで追い炊きを行う。
【００２７】
そして、制御手段８は水位検出手段４からの信号の変化が図３のＣに示すように一定時間内に一定値以上増加したときに、この信号を受けた入浴検出手段６が作動し、人が入浴したことを判断し、水位検出手段４からの信号が図３のＥに示すように一定時間内に一定値以上減少したときに、この信号を受けた入浴検出手段６が作動し、浴槽１から人が出たことを判断する。
【００２８】
なお、制御手段８は通常のお湯はり時には、図３のＤに示すように水位の変化率は少ないため、その変化率によって入浴したか浴槽から出たか、あるいは通常のお湯張り中かを判断する。
【００２９】
そして、制御手段８は入浴検出手段６による入浴前の水位レベルと設定水位レベルとの差分を、人が入浴中は入浴時の水位にその差分をプラスした分を、人が浴槽を出たときは設定水位までの差分を設定水位になるまで給湯機５を制御して、湯を直ちに供給する。
【００３０】
例えば、図３において設定水位が「６」で、入浴検出手段６により人が入浴中と判断した直前の水位が「４．５」であった場合は６から４．５の水位の差分１．５を直ちに供給する。
【００３１】
以上のように本発明によれば、浴槽に人が入浴中（風呂使用中）か否かの判定をし、入浴中である場合は水位検出手段により、水位制御の変化に対する対応を早めてやることにより、より実用に即した水位制御を実施できるものである。
【００３２】
なお、本実施の形態では制御手段８が水位検出手段４からの信号に基く水位変化率で入浴の有無、通常の給湯における設定水位の判断をしたが、水量センサ７からの信号と水位検出手段４からの信号に基き一定時間内に一定値以上の増減を学習してデータを記憶し、このデータにより判断してもよいものである。また、本実施の形態では制御手段８と入浴検出手段６を別に示したが、制御手段８の中に含むようにしてもよい物である。
【００３３】
（実施の形態２）
図４は、本発明の実施の形態２における風呂給湯機の制御装置による水位制御図で、風呂給湯機の構成図は図１と同一なので、これを利用する。本実施の形態は、制御手段が、入浴検出手段により入浴を検出したときの水位の判断を一定時間経過後に水位変動の平均値で判断する構成にした点で実施の形態１の発明と異なり、それ以外の同一構成及び同一作用効果を奏するところには同じ符号を付して詳細な説明を省略し、異なるところを中心に説明する。
【００３４】
制御手段８は、入浴検出手段６が水位検出手段４の検出した信号に基き浴槽１の水位変動を検出したときの水位の判断を、一定時間経過後に水位変動の平均値で判断し給湯制御するように構成したものである。
【００３５】
上記実施の形態において、給湯機５による通常の自動給湯の動作は実施の形態１で説明した通りである。そして、一般に人が浴槽１に人が入浴した直後、そして浴槽１から出た直後は、図４に示すように浴槽１の水面は暫く波打って水位が変動をし続けるため、初期は水位変動が大きいので直ちに水位を判断することは困難である。
【００３６】
然るに本実施の形態では、正確に、より早く浴槽の水位変化に対応するため、制御手段８は、入浴した直後または浴槽１から出た直後で一定の水位変動幅内αになったときに平均値で判断するように構成してある。すなわち、制御手段８は、入浴検出手段６が入浴を検出したときの水位の判断を、一定時間経過後に水位変動幅が一定内αに収束したときの平均値を読み取り、また、浴槽１からでた場合もある一定時間経過後に水位変動幅が一定内αに収束したときの平均値を読み取る。
【００３７】
そして、制御手段８は入浴検出手段６による入浴前の水位レベルと設定水位レベルとの差分を、人が入浴中は入浴時の水位にその差分をプラスした分を、人が浴槽１を出たときは設定水位までの差分を設定水位になるまで給湯機５を制御して、お湯を直ちに供給するので、快適に入浴することができる。
【００３８】
以上のように本発明によれば、人が浴槽に入った時、そして浴槽から出た場合、水位は暫く変動をし続けるため、水位を判断することは困難であり、初期は変動が大きいため、一定の水位の変動幅内になったときに平均値で判断することにより正確に、より早く水位変化に対応できる。
【００３９】
（実施の形態３）
図３は、本発明の実施の形態３における風呂給湯機の制御装置による水位制御図で、風呂給湯機の構成図は図１と同一なので、これを利用する。本実施の形態は、制御手段にあって、人による浴槽の水位変動がある場合、一定時間内は水位検出手段によって、水位設定手段で選択できる最小単位の水位の変動幅での給湯制御を行う構成にした点で実施の形態１及び２の発明と異なり、それ以外の同一構成及び同一作用効果を奏するところには同じ符号を付して詳細な説明を省略し、異なるところを中心に説明する。
【００４０】
制御手段８は、入浴検出手段６が水位検出手段４の検出した信号に基き浴槽１の水位変動を検出した場合、一定時間内は水位検出手段４によって、水位設定手段１７ａ、１７ｂで選択できる最小単位の水位の変動幅での給湯制御を行う構成にしたものである。
【００４１】
上記実施の形態において、給湯機５による通常の自動給湯の動作は実施の形態１で説明した通りである。そして、制御手段８は、図３に示すように水位検出手段４の検出した信号を受けた入浴検出手段６により人が入浴中（風呂使用中）と判断したときは、水位検出手段４による入浴前の水位レベルと設定水位レベルとの差分を、人が入浴中は入浴時の水位にその差分をプラスした分を、人が浴槽を出たときは設定水位までの差分を設定水位になるまで給湯機５を制御して、お湯を直ちに供給する。
【００４２】
また、制御手段８は浴槽１から人が出たと判断したのち、一定時間内は（例えば１０分間）、水位設定手段１７ａ、１７ｂによる設定水位より１段階減少した場合は給湯機５を制御し、お湯を直ちに供給して水位補正を行うことにより快適に入浴することができる。
【００４３】
例えば、設定水位「６」とした場合、水位検出手段４により水位が「５」まで低下した
ことを検出し、これを制御手段８が判断した場合は直ちに水位を補正するべく給湯機５を制御して給湯する。従って、入浴中に浴槽１から一定時間内だけ出た際に、設定水位より１段階の湯量が下がっておれば直ちに補給されるので、再び入浴した時には当初と同じように快適に入浴ができる。
【００４４】
以上のように本発明によれば、人が入浴中で、ちょっと浴槽からでた場合でも水位設定手段の最小単位の水位減少が発生したら、すぐに設定水位に戻す湯の補給が行なわれ快適な入浴を提供するものである。
【００４５】
（実施の形態４）
図３は、本発明の実施の形態４における風呂給湯機の制御装置による水位制御図で、風呂給湯機の構成図は図１と同一なので、これを利用する。本実施の形態は、制御手段にあって、入浴検出手段が浴槽の水位変動を検出した場合、一定時間内は水位検出手段によって、水位設定手段で選択できる最小単位の水位の変動幅の半分の水位変動幅で給湯制御を行う構成にした点で実施の形態１〜３の発明と異なり、それ以外の同一構成及び同一作用効果を奏するところには同じ符号を付して詳細な説明を省略し、異なるところを中心に説明する。
【００４６】
制御手段８は、入浴検出手段６が浴槽１の水位変動を検出した場合、一定時間内は水位検出手段４によって、水位設定手段１７ａ、１７ｂで選択できる最小単位の水位の変動幅の半分の水位変動幅で給湯制御を行う構成にしたものである。１８は浴室リモコン１３に設け、入り切りする選択スイッチで、信号を制御手段８に出力して湯量を細やかに制御する設定を行う。
【００４７】
上記実施の形態において、給湯機５による通常の自動給湯の動作は実施の形態１で説明した通りである。そして、図２に示す浴室リモコン１３の選択スイッチ（湯量細やかスイッチ）１８を「ＯＮ」にすると、図３に示すように水位検出手段４の検出した信号を受けた入浴検出手段６により人が入浴中（風呂使用中）と判断したときは、水位検出手段４による入浴前の水位レベルと設定水位レベルとの差分を、人が入浴中は入浴時の水位にその差分をプラスした分の湯を、また人が浴槽を出たときは設定水位までの差分を設定水位になるまで給湯機５を制御して直ちに供給する。
【００４８】
また、制御手段８は浴槽１から人が出たと判断したのち、一定時間内は（例えば１０分間）、水位設定手段１７ａ、１７ｂによる設定水位より１段階の半分減少した時でも給湯機５を制御して湯を直ちに供給するようにし、より細やかな水位調節を実施できる。例えば、図３に示すように設定水位「６」とした場合、水位検出手段４により検出した信号を受けた入浴検出手段６による水位が「５．５」まで低下したと判断した場合は、直ちに水位を補正するべく給湯機５を制御して給湯する。
【００４９】
従って、入浴中に浴槽１から一定時間内だけ出た際に、設定水位より１段階の半分の湯量が減少しておれば直ちに補給されるので、より細やかな水位調節ができて再び入浴した時には当初と同じように快適に入浴ができ、かつ効率的な水位調節ができる。
【００５０】
以上のように本発明によれば、人が入浴中で、ちょっと浴槽からでた場合でも水位設定手段の最小単位の半分の水位減少が発生したら、すぐに設定水位に戻す湯の補給が行なわれ快適な入浴を提供するものである。
【００５１】
（実施の形態５）
図３は、本発明の実施の形態５における風呂給湯機の制御装置による水位制御図で、風呂給湯機の構成図は図１と同一なので、これを利用する。本実施の形態は、制御手段にあ
って、入浴検出手段が入浴していないと判断し、人による水位変動がない場合、水位検出手段によって水位設定手段で選択できる水位の２段階の水位変動幅での給湯制御を行う構成にした点で実施の形態１〜４の発明と異なり、それ以外の同一構成及び同一作用効果を奏するところには同じ符号を付して詳細な説明を省略し、異なるところを中心に説明する。
【００５２】
制御手段８は、水位検出手段４の検出した信号を受けて入浴検出手段６が入浴していないと判断し、かつ人による水位変動がない場合、水位検出手段４によって水位設定手段１７ａ、１７ｂで選択できる水位の２段階の水位変動幅での給湯制御を行う構成にしたものである。
【００５３】
上記実施の形態において、給湯機５による通常の自動給湯の動作は実施の形態１で説明した通りである。そして、水位検出手段４の信号から一定時間経過後（例えば１０分間）に人が入浴中でないと判断した場合は、浴槽１の水位が水位設定手段１７ａ、１７ｂで選択できる設定水位より２段階の減少がないと、その水位を補正しないようにする。
【００５４】
例えば、一般に入浴せずに、他の目的で浴槽１の湯のみを汲み出したとき等は水位が減少するが、人が入浴しない場合もありうる。そのような場合は、図３に示す設定水位が「６」であれば、水位検出手段４で水位が「４」まで低下しないと水位補正を行わないのである。従って、入浴中でないときは大幅に湯量が減少していても当面は問題がないので放置し、給湯機５による給湯を行なわないことにより、無駄なエネルギーを使用しないようにできる。
【００５５】
以上のように本発明によれば、入浴中でない場合は水位設定手段で選択できる最小単位の２段階の変動がないと（水位変化が２ステップ変化しないと）水位の補正を行わないことにより、エネルギーの節約を行うことができる。
【００５６】
（実施の形態６）
図３は、本発明の実施の形態６における風呂給湯機の制御装置による水位制御図で、風呂給湯機の構成図は図１と同一なので、これを利用する。本実施の形態は、制御手段にあって、入浴と判断した一定時間経過後に浴槽の水位の変化が認められないと判断した場合は給湯を停止させる構成にした点で実施の形態１〜５の発明と異なり、それ以外の同一構成及び同一作用効果を奏するところには同じ符号を付して詳細な説明を省略し、異なるところを中心に説明する。
【００５７】
制御手段８は、入浴と判断した一定時間経過後に浴槽１の水位の変化が認められないと判断した場合、給湯機５による自動給湯を停止させる構成にしたものである。
【００５８】
上記実施の形態において、給湯機５による通常の自動給湯の動作は実施の形態１で説明した通りである。そして、制御手段８により人が入浴中（風呂使用中）と判断し、上記実施の形態１で説明したようにして浴槽１の水位の補正を直ちに行う。
【００５９】
そして、このように水位を補正するべく給湯を行っても一定時間経過（例えば３分間）後であっても、その水位の変化がない場合は浴槽１の上端より湯が溢れ出ていると判断し、給湯機５を制御して湯の供給を直ちに停止する。従って、不必要な湯を供給しないようにできる。
【００６０】
以上のように本発明によれば、入浴中と判断した場合でも一定時間経過後、浴槽の水位の上昇がない場合は湯が浴槽より溢れていると判断して水位の補正を行わないことにより、エネルギーの節約を行うものである。
【産業上の利用可能性】
【００６１】
以上のように、本発明にかかる風呂給湯機の制御装置は、水位制御の変化に対する対応を早めることにより、より実用に即した水位制御を行うことができ、広く給湯機の水位制御に適用できる。
【図面の簡単な説明】
【００６２】
【図１】本発明の実施の形態１〜６における風呂給湯機の制御装置の概略構成図
【図２】同実施の形態１〜６における風呂給湯機の浴室リモコンの平面図
【図３】同実施の形態１〜６における風呂給湯機の制御装置による水位制御図
【図４】本発明の実施の形態２における風呂給湯機の制御装置の動作説明図
【図５】従来の風呂給湯器の制御装置の概略構成図
【図６】従来例の浴室リモコンの平面図
【符号の説明】
【００６３】
１  浴槽
４  水位検出手段
５  給湯機
６  入浴検出手段
８  制御手段
１７ａ、１７ｂ  水位設定手段
【図１】
2007192421.tif 000003
【図２】
2007192421.tif 000004
【図３】
2007192421.tif 000005
【図４】
2007192421.tif 000006
【図５】
2007192421.tif 000007
【図６】
2007192421.tif 000008